(57)【要約】      （修正有）【課題】  消火栓が設置される配水縦管の電気防食を、簡易な構成で安定して行う。【解決手段】  消火栓８が設置される配水縦管５内部を電気防食するカソード防食装置である。外部電源としての二室型鉛蓄電池４と、アノードを構成する棒状電極体１と、複数の開口部を有しかつ開口率が設定されて棒状電極体１を被覆する絶縁材とを備える。所望の防食電流が得られるように、前記開口部の開口率が調整されている。棒状電極体１は、配水縦管５上部に設けられる短管または地下式消火栓８から挿入される。この短管または地下式消火栓８には、棒状電極体１の挿入部１１だけでなく、内視鏡カメラ１２の挿入部１３も設けられている。従って、配水縦管５の内部を内視鏡カメラ１２により視認可能である。【選択図】      図４
2006083434.tif 000002
【特許請求の範囲】
【請求項１】
外部電源方式によるカソード防食方法であって、
所定電圧を維持する外部電源を用い、防食電流の調整は、アノードを被覆する絶縁材の開口部を調整して行う
ことを特徴とする電気防食方法。
【請求項２】
消火栓が設置される配水縦管内部を電気防食するカソード防食方法であって、
外部電源として二室型鉛蓄電池を用い、アノードとして複数の開口部を有する絶縁材により被覆した棒状電極体を用い、所望防食電流が得られるように前記開口部の開口率が調整された棒状電極体を前記縦管内部に設置する
ことを特徴とする電気防食方法。
【請求項３】
外部電源方式によるカソード防食装置であって、
所定電圧を維持する外部電源と、アノードを構成する電極体と、この電極体を被覆し開口率が調整される絶縁材と
を備えることを特徴とする電気防食装置。
【請求項４】
消火栓が設置される配水縦管内部を電気防食するカソード防食装置であって、
外部電源としての二室型鉛蓄電池と、アノードを構成する棒状電極体と、複数の開口部を有しかつ開口率が設定されて前記棒状電極体を被覆する絶縁材と
を備えることを特徴とする電気防食装置。
【請求項５】
前記配水縦管上部に設けられる短管または地下式消火栓に、前記棒状電極体と内視鏡カメラの挿入部が設けられており、
この挿入部から前記配水縦管内に、前記棒状電極体および前記内視鏡カメラが挿入される
ことを特徴とする請求項４に記載の電気防食装置。
【発明の詳細な説明】
【技術分野】
【０００１】
本発明は、電気防食方法および電気防食装置に関し、特に、消火栓が設置される配水管の縦管内に錆が生じるのを防止する電気防食方法および電気防食装置に関するものである。
【背景技術】
【０００２】
消火栓が設置される配水管の縦管は、エアー溜りができやすく錆こぶが発生し易い。このような錆こぶは、水質を悪化させるだけでなく、水の出を悪くして消火活動にも悪影響を及ぼすおそれがある。ところが、従来、この配水縦管についての防食技術は知られていない。
【０００３】
一方、電気防食技術は、従来から知られている。一般的な電気防食は、防食対象をアノード（陽極）ではなく、カソード（陰極）としている。そして、電気防食の適用方式としては、外部電源方式と、流電陽極方式（犠牲陽極方式）とがある。外部電源方式は、直流電源を用い、流電陽極方式は、防食対象に、これより卑な金属を接続し、両者間の電位差を利用して防食電流を流す方法である。
【発明の開示】
【発明が解決しようとする課題】
【０００４】
消火栓が設置される配水縦管内の電気防食を考えた場合、種々の解決すべき課題がある。まず、流電陽極方式を採用した場合には、消火栓が設置される配水管は上水道と兼用であるから、金属イオン（Ａｌ３＋、Ｍｇ２＋、Ｚｎ２＋）の溶出が問題となる。
【０００５】
一方、外部電源方式を採用した場合には、電源の確保が問題となる。通常の外部電源方式では、商用電源（１００Ｖ交流）を所望の電圧に変圧した後、整流（交流から直流へ変換）して、所望の直流電源を得ていた。ところが、消火栓が設置される配水縦管は、通常、道路の地下にあるため、商用電源の確保が問題となる。
【０００６】
外部電源方式でかつ商用電源（１００Ｖ交流）が使えないとすると、各種電池から電力を供給することが考えられる。しかしながら、太陽電池を使用する場合には、構成が複雑となる上、昼間しか発電できないし、発生電圧も防食に必要な電圧と一致するとは限らず、確実で安定した電気防食を図れないおそれがある。また、マンガン乾電池やアルカリ乾電池などを使用する場合には、形状が単一・単二・単三と限られており、これを多数格納する容器を準備する必要があり実用的ではない。たとえば、１ｍ長さの縦管を１年間防食するのに、単一乾電池では約１００個も必要となる。消火栓は地下にあるのが殆どであり、小さなＢＯＸ内に収納されており、この中に電源を格納するためには、コンパクトでかつ自由度の高い形状である必要がある。
【０００７】
本発明は、上記事情に鑑みてなされたものであり、その主たる目的は、簡易な構成で安定した電気防食を図ることができ、特に消火栓が設置される配水縦管内を確実に防食するのに適する電気防食方法および電気防食装置を提供することにある。
【課題を解決するための手段】
【０００８】
本発明は、前記課題を解決するためになされたもので、請求項１に記載の発明は、外部電源方式によるカソード防食方法であって、所定電圧を維持する外部電源を用い、防食電流の調整は、アノードを被覆する絶縁材の開口部を調整して行うことを特徴とする電気防食方法である。
【０００９】
請求項２に記載の発明は、消火栓が設置される配水縦管内部を電気防食するカソード防食方法であって、外部電源として二室型鉛蓄電池を用い、アノードとして複数の開口部を有する絶縁材により被覆した棒状電極体を用い、所望防食電流が得られるように前記開口部の開口率が調整された棒状電極体を前記縦管内部に設置することを特徴とする電気防食方法である。
【００１０】
請求項３に記載の発明は、外部電源方式によるカソード防食装置であって、所定電圧を維持する外部電源と、アノードを構成する電極体と、この電極体を被覆し開口率が調整される絶縁材とを備えることを特徴とする電気防食装置である。
【００１１】
請求項４に記載の発明は、消火栓が設置される配水縦管内部を電気防食するカソード防食装置であって、外部電源としての二室型鉛蓄電池と、アノードを構成する棒状電極体と、複数の開口部を有しかつ開口率が設定されて前記棒状電極体を被覆する絶縁材とを備えることを特徴とする電気防食装置である。
【００１２】
さらに、請求項５に記載の発明は、請求項４に記載の構成要件に加えて、前記配水縦管上部に設けられる短管または地下式消火栓に、前記棒状電極体と内視鏡カメラの挿入部が設けられており、この挿入部から前記配水縦管内に、前記棒状電極体および前記内視鏡カメラが挿入されることを特徴とする電気防食装置である。
【発明の効果】
【００１３】
本発明の電気防食方法および電気防食装置によれば、簡易な構成で安定した電気防食を図ることができる。特に、消火栓が設置される配水縦管内の電気防食を、簡易な構成で実現できる。
【発明を実施するための最良の形態】
【００１４】
つぎに、本発明の実施の形態について説明する。本発明の電気防食方法および電気防食装置は、上水道配水管の縦管部に好適に適用される。そこで、ここでは本発明をこの配水縦管へ適用した例について説明する。この配水縦管の上部には、補修弁を介して消火栓が設置される。
【００１５】
本実施形態の電気防食装置は、配水縦管内に差し込まれる棒状電極体と、防食電流発生用の外部電源装置とを主要部として備える。そして、外部電源装置により、棒状電極体をアノード、配水縦管をカソードとして通電することで、配水縦管を電気防食するものである。導電性の棒状電極体は、絶縁材により被覆されており、この絶縁材には、複数の開口部が形成されている。従って、棒状電極体は、個々の開口部において外部へ露出し、その開口部を介して配水縦管との間に防食電流を流して、配水縦管を電気防食する。なお、棒状電極体は、配水縦管の上部に設置される消火栓や短管などから、外部に対し水密状態で配水縦管の下部まで挿入されて設置される。
【００１６】
消火栓が設置される配水縦管においては、商用電源（１００Ｖ交流）を確保しにくいので、本実施形態では外部電源として鉛蓄電池を用いる。特に、次に述べる理由により、二室型鉛蓄電池が好適に用いられる。鉛蓄電池の電圧は、一室（１セル）当たり２Ｖであるから、二室型鉛蓄電池は４Ｖとなる。
【００１７】
二室型鉛蓄電池を用いる理由は、次のとおりである。すなわち、まず消火栓の口径は、７５ｍｍまたは１００ｍｍなどと限定されている。このため電極（アノード）と、配水縦管壁（カソード）との距離も限定される。そして、日本の上水道の導電率は、５０〜３００μＳ／ｃｍ程度であり、また防食所要電流として、５０ｍＡ／ｍ２（カソード面積）が標準とされている。これら事情（導電率、カソードとアノード間の距離、防食に必要な電流）を勘案すると、およそ、３〜４Ｖが必要となる。よって、配水縦管の電気防食において、鉛蓄電池を外部電源として使用する場合、一室（２Ｖ）では所要電圧が不足し、三室（６Ｖ）では電圧が不必要に高過ぎ、電力が無駄となる。
【００１８】
ところで、従前の一般的な外部電源方式の電気防食方法は、所要の防食電流を得るためには、電圧を調整すればよかった。つまり、従前は、商用電源（１００Ｖ交流）を外部電源として用い、所望の電圧に変圧した後、整流（交流から直流へ変換）して、所望の直流電圧を得ていた。ところが、本実施形態のように、所定電圧（ここでは４Ｖ）を維持する外部電源を使用した場合、防食電流の調整を如何に行うかが問題となる。
【００１９】
本発明においては、従前のような電圧調整によらず、むしろ印加電圧は一定に維持しつつ、防食電流の調整を可能に構成した。すなわち、アノードを構成する棒状電極体を絶縁材で被覆し、その絶縁材に形成する開口部（その大きさ・数・割合など）を変化させることで対応したことによる。本実施形態では、物理的機械的強度を保持するために、アノードとして直径２〜５ｍｍの棒状金属材を用い、これを被覆する絶縁材に形成する多数の小穴の数を変化させて、アノード面積（小穴部の面積）を変化させ、防食電流を制御する。なお、このような制御が可能となる理由は、アノードの酸素過電圧がアノード電流密度に依存し、変化するためである。
【実施例】
【００２０】
以下、本発明の具体的実施例を図面に基づいて詳細に説明する。
図１は、本発明の電気防食装置のアノードを示す概略拡大図であり、（Ａ）は正面図、（Ｂ）はそのＸ−Ｘ断面図である。この図に示すように、本実施例のアノードは、細長い導電性の棒状電極体１からなり、その外面は絶縁性の被膜（絶縁材）２によって被覆されている。本実施例では、絶縁材２として細長い円筒状の熱収縮チューブが用いられ、予め適宜の小穴３（３ａ，３ｂ）を多数形成した後、棒状電極体１にはめ込んで、加熱して収縮させ、棒状電極体１に密着させて一体化している。
【００２１】
棒状電極体１への絶縁材２の取付状態では、棒状電極体１の外周面および先端面は絶縁材２で被覆されるが、棒状電極体１の基端部１ａは絶縁材２から露出される。そして、このようなアノードは、棒状電極体１の前記露出部１ａを介して外部電源４（図２参照）へ電気的に接続される。なお、熱収縮チューブからなる絶縁材２への小穴３の形成は、棒状電極体１に被せる前に、予めその円形断面をつぶすように平らにした状態で、パンチにより小穴３を貫通形成している。
【００２２】
棒状電極体１の材質や大きさは、適宜に設定される。本実施例の棒状電極体１は、たとえば直径４ｍｍのチタン製の棒材からなり、その表面には、たとえば厚さ0.3μｍの酸化イリジウム（IrO2）を主成分とするコーティングが施されている。棒状電極体１の長さは、設置時に配水縦管５の底部、すなわち縦管５下部の配水管６まで延出する程度の長さとするのが好ましい（図４参照）。棒状電極体１を被覆する絶縁材２も適宜のものが採用されるが、本実施例の絶縁材２は、厚さ０．２５ｍｍの樹脂製熱収縮チューブを採用した。
【００２３】
絶縁材２に形成される小穴３の開口率を調整することで、棒状電極体１の露出部を調整し、防食電流を調整することができる。どのような開口率で使用するかは、防食装置適用箇所の水の導電率を考慮して決定される。水の導電率と絶縁仕様との相関をみるために、ここでは図２に示すような実験装置にて実験を行った。
【００２４】
この実験装置では、１００Ａ（内径１０５．３ｍｍ）、長さ０．９５ｍの鋼管（ＳＧＰ管）５を立てた状態で用いた。この鋼管５の底部は、透明塩ビ製の底板７で蓋がなされており、この底板７の上面中心部には凹穴７ａを形成している。そして、この鋼管５に、上述した直径４ｍｍ棒状電極体１を差し込み、その先端部（下端部）を前記凹穴７ａに差し込み固定した。さらに、棒状電極体１をアノード、鋼管５をカソードとするために、外部電源（直流４Ｖ）４の正極（＋）に棒状電極体１の基端部１ａを接続し、外部電源４の負極（−）に鋼管５を接続した。その状態で、鋼管５内を水道水で満たして通電し、防食電流を計測する。ここでは、福島県いわき市と兵庫県神戸市の各上水道について実験した。実験に用いた水道水の導電率は、いわき市の水が６４μＳ／ｃｍ、神戸市の水が２６７μＳ／ｃｍであり、さらに３５２μＳ／ｃｍの水についても調査した。
【００２５】
実験においては、絶縁仕様を変えた複数の棒状電極体１を作成し、それぞれの場合の防食電流を計測した。実験に用いた絶縁仕様は、次の[絶縁材Ａ]〜[絶縁材Ｅ]である。
【００２６】
[絶縁材Ａ]  図１に示すように、長さ１０ｃｍに付き３８個の小穴３（３ａ，３ｂ）を、棒状電極体１の正面と背面の両側に、それぞれ複列形成した絶縁材（複列）。各小穴３の直径は、それぞれ１．１４ｍｍである。厳密には、各小穴３は多少の大小があり、また直径測定にも誤差があるが、この場合の開口率は、概ね次のとおり計算される。すなわち、この場合の開口率は、｛(1.14mm)2×（π／４）×38×２×２｝／｛100mm×４mm×π｝＝0.123として計算される。なお、この場合、１ｍ当たりの開口面積は、15.5cm2/mである。
【００２７】
[絶縁材Ｂ]  前記Ａを単列にした絶縁材（単列）。すなわち、長さ１０ｃｍに付き３８個の小穴３が、棒状電極体１の正面と背面の両側に、それぞれ一列だけ（図１において小穴３ａのみ）形成された絶縁材。この場合の開口率は、前記Ａの１／２となる。
【００２８】
[絶縁材Ｃ]  前記Ｂの穴を一つおきとした絶縁材（単列１／２）。
【００２９】
[絶縁材Ｄ]  前記Ｂの穴を８個おきとした絶縁材（単列１／８）。
【００３０】
[絶縁材Ｅ]  前記Ｂの穴を１６個ごとに一つとした絶縁材（単列１／１６）。
【００３１】
実験の結果、たとえば複列の絶縁材Ａの場合、いわき市の水に対し２２ｍＡの電流が流れた。これは、防食電流密度としては７４ｍＡ／ｍ２となり、通常必要とされる５０ｍＡ／ｍ２より多く十分防食されているといえる値である。なお、この状態のまま１週間を経過したが、内部の水に何らの濁りを認められなかった。一方、比較例として、通電せず放置した場合には、一日にて若干の濁り（赤いさび）が認められた。また、一週間後には、鋼管５の底部に、赤いさびが薄く沈積した。
【００３２】
図３には、両対数グラフにて実験結果を示した。この図では、縦軸に計測した防食電流値（ｍＡ）をとり、横軸にアノード露出面積（ｃｍ２／ｍ）および開口率をとっている。この図から、被膜２がなくなるほど、大きな防食電流が流れることが分かる。所要の防食電流密度は５０ｍＡ／ｍ２であるから、各水道水に対し有効な開口率は、その電流値になる開口率を逆算すればよい。実験例では、いわき市については、単列絶縁材において、２／３が穴ありで、残り１／３が穴なしに形成すればよいことが分かった。また、神戸市については、単列絶縁材において、１／２０が穴ありで、残り１９／２０が穴なしに形成すればよいことが分かった。このようにして、各地の市水の導電率に合わせて、開口率（小穴の数）を変え、適正な防食電流密度（約５０ｍＡ／ｍ２）となるようすればよい。
【００３３】
図４は、本発明の電気防食装置の一実施例の使用状態を示す図であり、一部を断面にして示している。
浄水場や配水場からの配水管６には、垂直上方へ向けて分岐する金属製管（鋼管、鋳鉄管）からなる縦管５を介して消火栓８が設けられる。この消火栓８は、配水管６から分岐した縦管５の上端部に、補修弁９を介して設けられる。この消火栓８や補修弁９は、地下に埋設されたボックス１０内に収容されている。なお、配水管６には、サドル分水栓を介して給水管（不図示）が接続分岐され、この給水管を介して各家庭へ水が供給される。
【００３４】
消火栓８は、地下式消火栓であり、排気弁または空気弁が備えられているものがよい（地下式消火栓排気弁付、地下式空気弁消火栓）。また、空気弁が内蔵されたものがより好ましい（地下式空気弁内蔵消火栓）。さらに、本実施例の地下式消火栓８には、電気防食装置の棒状電極体１の挿入部１１と、内視鏡カメラ１２の挿入部１３とが設けられている。前記各挿入部１１，１３は、消火栓８の下部フランジ８ａよりも上方で、消火栓８内部の開閉弁による封止部（不図示）よりも下方に設けられる。なお、消火栓８の下部フランジ８ａは、補修弁９の上部フランジ９ａに水密状態に連結され、補修弁９の下部フランジ９ｂは、縦管５の上部フランジ５ａに水密状態に連結される。
【００３５】
棒状電極体１の挿入部１１は、消火栓８の弁箱（外壁）を貫通した開口部に、パッキン（不図示）が収容保持されて構成される。このパッキンを介して、棒状電極体１が消火栓８ひいては配水縦管５内へ湾曲しながら挿入される。このパッキンは、絶縁材２付き棒状電極体１の外周部を締め付けた状態であるが、棒状電極体１の進退は可能である。従って、配水管６からの水漏れを防ぎつつ、消火栓８の外側から内側へ配水縦管５内に、棒状電極体１を送り込んで設置することができる。
【００３６】
ところで、棒状電極体１は、前記実験で用いたもの、すなわち絶縁材（熱収縮チューブ）２により被覆された酸化イリジウムコーティングのチタン棒１を使用することができる。そして、熱収縮チューブからなる絶縁材２には、設置箇所の水の導電率に合わせた開口率で小穴３が形成されている。この小穴３は、棒状電極体１の使用時に、配水縦管５内へ挿入される箇所に形成すれば足りる。また、このような棒状電極体１は、その基端側においてチタン棒１が、二室型鉛蓄電池４の正極（＋）に接続され、その負極（−）は消火栓８（またはそれに接続される補修弁９や縦管５）に接続される。なお、チタン棒１の表面には絶縁材２が被覆されているので、仮に棒状電極体１が縦管５内面に接触しても、電気的に導通することはない。このようにして、縦管５の電気防食が有効に図られる。
【００３７】
内視鏡カメラ１２は、縦管５内の状況を観察するためのものである。先端部にカメラ本体１２ａを有するカメラケーブル１２ｂは、基端部においてドラム１２ｃに巻かれている。このドラム１２ｃからケーブル１２ｂを繰り出したり、逆にドラム１２ｃにケーブル１２ｂを巻き取ったりすることができる。このような内視鏡カメラ１２は、消火栓８に設けたカメラ挿入口１３から、消火栓８ひいては配水縦管５内へ挿入される。
【００３８】
カメラ挿入口１３は、消火栓８の弁箱から分岐して設けられた管体からなり、その管末部は、カメラ挿入具１４が着脱可能となる挿入具取付部１３ａ（図５参照）とされている。具体的には、この挿入具取付部１３ａは、フランジまたはネジ部などに形成されている。また、カメラ挿入口１３を構成する管体の中央部には、開閉弁１３ｂ（図５参照）が設けられている。
【００３９】
一方、カメラ挿入具１４は中空ボックス状とされ、この中空ボックスは、前記挿入具取付部１３への連結側となる先端側に開口している。また、この中空ボックス１４内には、カメラ本体１２ａが収容可能である。そして、カメラケーブル１２ｂは、中空ボックス１４の基端部からパッキンを介して外部へ導出されている。従って、消火栓８のカメラ挿入口１３から配水縦管５内へカメラ１２を挿入するには、まず前記開閉弁１３ｂを閉じた状態で、挿入具取付部１３ａにカメラ挿入具１４を連結し、開閉弁１３ｂを開けた後、カメラケーブル１２ｂを押し込むことで、カメラ本体１２ａを消火栓８ひいては配水縦管５内へ挿入できる。
【００４０】
このように、本実施例の構成によれば、不断水で容易にカメラ１２の挿入が可能である。しかも、設置状態においても、中空ボックス１４のパッキンを介してカメラケーブル１２ｂは、外部へ水密状態に導出されるので、消火栓８の外側へ水が漏れるおそれもない。逆に、カメラ１２を取り外す際には、ケーブル１２ｂを引っ張ってカメラ挿入具（中空ボックス）１４内にカメラ本体１２ａを収容した後、前記開閉弁１３ｂを閉じてから、カメラ挿入具１４を消火栓８から取り外せばよい。そして、カメラ挿入具１４を取り付けない通常時には、挿入具取付部１３ａには、蓋をしておけばよい。
【００４１】
このようにして、本実施例によれば、配水縦管５内に内視鏡カメラ１２を挿入することで、管内の錆こぶや赤水の状況や原因確認が容易にできる。また、防食装置の効果や検証も可能となり、鉛蓄電池４の能力や個数、あるいは棒状電極体１の絶縁材２に形成する小穴３の開口率の調整（開口率の異なる棒状電極体１の入換え）なども行うことができる。よって、鉛蓄電池４の寿命の検討もできる。さらに、棒状電極体１が望ましい位置にあるかの確認も可能である。
【００４２】
ところで、図４では消火栓８に、棒状電極体１の挿入部１１と内視鏡カメラ１２の挿入部１３とを設けた例を説明したが、図５に示すように補修弁９の上部に設置する短管１５に設けてもよい。この短管１５は、円筒形状であり、下部フランジ１５ａが補修弁９の上部フランジ９ａへ水密状態に接続される。そして、この短管１５の外周面には、図４と同様の構成で、棒状電極体１の挿入部１１と内視鏡カメラ１２の挿入部１３とが設けられている。この短管１５の上部には、消火栓８などが設置され、あるいは蓋がなされる。
【００４３】
以上詳述した本実施例の電気防食装置やそれを用いた電気防食方法によれば、配水縦管５を有効に防錆することができる。また、直流で使われる防食装置に直流電源を使用することで、構成も簡易化される。さらに、内視鏡カメラ１２を挿入可能とすることで、その効果確認なども可能である。なお、本実施例の電気防食装置の設置に際しては、配水縦管５内に既に付着している錆こぶを除去してから取り付けるのがよい。縦管５の錆こぶを除去するには、先に提案済みの錆こぶ除去装置（特願２００３−３１６４３号）を用いることができる。
【００４４】
なお、本発明の電気防食装置および電気防食方法は、上記実施例の構成に限らず、適宜変更可能である。たとえば、上記実施例では、棒状電極体１は、熱収縮チューブ２により被覆された酸化イリジウムコーティングのチタン棒を使用したが、アノードの表面を絶縁性素材で被覆し、そのアノードに形成する開口部３の面積を調整することで、所望の防食電流を得る構成であれば、前記実施例の構成に限られない。また、上記実施例では、消火栓８が設置された配水縦管５の電気防食に用いた例について説明したが、その他の箇所の電気防食にも適用可能である。
【図面の簡単な説明】
【００４５】
【図１】本発明の電気防食装置のアノードを示す概略拡大図であり、（Ａ）は正面図、（Ｂ）はそのＸ−Ｘ断面図である。
【図２】本発明の電気防食装置の実施例の実験装置を示す概略図である。
【図３】図２の装置による実験結果を示す図である。
【図４】本発明の電気防食装置の一実施例の使用状態を示す図であり、一部を断面にして示している。
【図５】図４の変形例を示す図である。
【符号の説明】
【００４６】
１  棒状電極体
２  絶縁材（熱収縮チューブ）
３  開口部（小穴）
４  外部電源（二室型鉛蓄電池）
５  配水縦管
６  配水管
８  消火栓
９  補修弁
１１  棒状電極体挿入口
１２  内視鏡カメラ
１３  カメラ挿入口
１５  短管
【図１】
2006083434.tif 000003
【図２】
2006083434.tif 000004
【図３】
2006083434.tif 000005
【図４】
2006083434.tif 000006
【図５】
2006083434.tif 000007